(57)【特許請求の範囲】
【請求項１】
腕部の先方に挟持部を設け、腕部の基部から突出する頭部を備えた枢結軸で、前記腕部の基部を枢結して挟持部を開閉自在とした対向挟持体に、開口付勢機能を備えさせてなる挟み具であって、対向挟持体の両腕部が一緒に挿通され、且つ枢結軸の頭部間の距離よりも幅狭とした枠部と、前記枠部から突設して、器具を卓上に横倒載置した際に挟持部が載置面から浮き上がる長さの脚部を備えた枠状体を、腕部に移動自在に外挿してなることを特徴とする挟み具。
【請求項２】
脚部を、枠部と同一幅のコの字状にしてなる請求項１記載の挟み具。
【請求項３】
脚部を枠部の両側に設けてなる請求項１又は２記載の挟み具。
【請求項４】
枠状体を、ワイヤーを折曲して形成してなる請求項１乃至３記載の何れかの挟み具。
【請求項５】
枠状体を、金属板又は樹脂で一体に形成してなる請求項１乃至３記載の何れかの挟み具。
【発明の詳細な説明】
【技術分野】
【０００１】
本発明は、主として食品を取り扱うのに使用する挟み具に関するものである。
【背景技術】
【０００２】
挟み具（トング）は、対向挟持体の先方部分で食品等を挟持するのに使用されるもので、挟持開放時に先方の挟持部を開口状態に復帰（付勢）する構造が採用されている。例えば金属板をＵ状に湾曲させて対向挟持体を形成し、閉口時（挟持使用時）の反発弾性で復帰する構造の器具（特許文献１）や、板状の対向挟持体の基部を開口状態で連結して、部材自体の弾性で復帰する器具（特許文献２）や、対向挟持体の基部を枢結して発条を付設して開口復帰する器具（特許文献３）が知られている。
【０００３】
また非使用時に先方挟持部が開口状態では嵩張ってしまい邪魔となるので、非使用時（収納時）に、先方挟持部を閉口状態に維持する機構を付設している。例えば前記特許文献２には、対向挟持体の基部に対向挟持体の貫通方向を軸とする回動体を設け、前記回動体の周面に対向挟持体の開口を制限する開口部を設け、回動体の回動で間隙の相違する開口部を選択することで先方挟持部の開閉を行っている機構が開示されている。
【０００４】
また特許文献３には、対向挟持体の基部の枢結軸より尾端部に対して出没動作するレバーを設け、当該レバーの操作によって対向挟持体の尾端を開拡状態（先方挟持部を閉口状態）に保持する機構が開示されている。
【先行技術文献】
【特許文献】
【０００５】
【特許文献１】登録実用新案第３１７４６２７号公報。
【特許文献２】特開２００２−４２９号公報。
【特許文献３】特開２００２−１８６５６２号公報。
【発明の概要】
【発明が解決しようとする課題】
【０００６】
調理器具は一般的に乱暴に扱われやすいので、破損や変形し難い構造が要求されるが、前記した特許文献２，３記載の先方挟持部の閉口維持機構は、必ずしも製造が容易であり且つ耐久性に優れているとは言えない。また器具をテーブル上や調理台上に置く場合には、食品を挟む先方挟持部がテーブルや調理台に触らないようにしたほうが衛生的であるが、特許文献１記載のように対向挟持体に、載置用突部を設けることは、器具の製造が面倒であり、且つ器具の操作にも邪魔になってしまう。
【０００７】
そこで本発明は、簡単な構造で閉口状態維持を実現できると共に、器具のテーブル上への一時載置も実現できる部品を備えた新規な食品挟み具は提案したものである。
【課題を解決するための手段】
【０００８】
本発明の請求項１記載に係る挟み具は、腕部の先方に挟持部を設け、腕部の基部から突出する頭部を備えた枢結軸で、前記腕部の基部を枢結して挟持部を開閉自在とした対向挟持体に、開口付勢機能を備えさせてなる挟み具であって、対向挟持体の両腕部が一緒に挿通され、且つ枢結軸の頭部間の距離よりも幅狭とした枠部と、前記枠部から突設して、器具を卓上に横倒載置した際に挟持部が載置面から浮き上がる長さの脚部を備えた枠状体を、腕部に移動自在に外挿してなることを特徴とするものである。
【０００９】
而して前記の挟み具は、枠状体を腕部の基方（枢結部近傍）に移動させると、対向挟持体が開口状態となり、腕部を握持或いは保持し、先方の挟持部を開閉することで所定の対象物（食品等）の挟持を行うものである。そして枠状体を腕部の先方（挟持部近傍）に移動させると、対向挟持体が閉口状態となり、嵩張ることなくそのまま収納でき、而も脚部を下方にしてテーブル上に載置すると、挟持部が持ち上がった状態となるので、仮置きを衛生的に実現できる。また特に枠部の内寸が枢結軸の頭部間の距離よりも幅狭となっているので、枠状体が腕部から抜け落ちることがない。
【００１０】
また本発明の請求項２記載に係る挟み具は、前記の挟み具において、特に枠状体の脚部を枠部と同一幅のコの字状にしてなるもので、脚部を枠部とで日の字状に形成され、枠状体の外観的シンプルであり意匠性に優れ、且つ製造が容易である。
【００１１】
また本発明の請求項３記載に係る挟み具は、前記の挟み具において、特に枠状体の脚部を枠部の両側に設けてなるもので、器具の仮置きに際して載置方向に注意を要しない。
【００１２】
また本発明の請求項４記載に係る挟み具は、前記の挟み具において、特に枠状体を、ワイヤーを折曲して形成してなるもので、部材（枠状体）を金属線材の折曲で容易に製出できる。
【００１３】
また本発明の請求項５記載に係る挟み具は、前記の挟み具において、特枠状体を、金属板又は樹脂で一体に形成してなるもので、金属板の内抜きや樹脂の射出一体成形等によって容易に部材（枠状体）を容易に製出できる。
【発明の効果】
【００１４】
本発明の構成は上記のとおり、簡易な構造の枠状体を対向挟持体に付設するのみで、器具収納時や仮置き時の挟持部閉口維持を実現でき、更に脚部を備えることによって挟持部の非接触載置も実現できたものである。
【図面の簡単な説明】
【００１５】
【図１】本発明の実施形態（第一実施例）の挟持部開口時の全体斜視図。
【図２】同挟持部閉口時の全体斜視図。
【図３】同側面図。
【図４】同製造時の説明図。
【図５】同別例（第二実施例）の全体斜視図。
【図６】同図（第三実施例）。
【発明を実施するための形態】
【００１６】
次に本発明の実施形態について説明する。実施形態に示した挟み具は、基本的に従前器具と同様に一対の対向挟持体１ａ，１ｂと、本発明の特徴である枠状体２で構成される。
【００１７】
対向挟持体１ａ，１ｂは、薄金属板で形成したもので、挟持部１１と、腕部１２と、枢結箇所となる基部１３を備えたもので、挟持部１１は、腕部１２の先方に腕部１２より適宜幅広とした挟持面に形成したものである。
【００１８】
腕部１２は、下方開口コの字状や、ロの字状の断面に形成したもの、適宜長さが幅となるようにしたものであり、基部１３は、腕部１２の基端側は下方開口コの字状にして側面部分で対向挟持体１ａ，１ｂを互いに噛み合わせ、側面部分を貫通する枢結軸１４で枢結したもので、前記枢結軸１４はリベット軸のように側面部分より突出する頭部１４１を有するものである。
【００１９】
枠状体２は、金属線材を折曲して形成してなるもので、枠部２１と脚部２２を備えたもので、枠部２１は、内幅を腕部１２の幅と略一致させて前記枢結軸１４の頭部間の距離よりも幅狭とし、且つ対向挟持体１ａ，１ｂの腕部１２が一緒に挿通される大きさとしたもので、内高寸法は、下記の通り適宜設定するものである。
【００２０】
また脚部２２は、枠部２１の側方に突設して枠部２１と共に日の字状に形成したものである。尚枠部２１の内高寸法及び脚部２２の高さは、挟持部１１の開閉間隔並びに仮置き時において挟持部１１がテーブル上に接触しない寸法に形成してなるものである。
【００２１】
前記の器具は、図４に示すように、対向挟持体１ａ，１ｂを器具の形状と対応させた状態（付勢部材は図示していないが、予め対向挟持体１ａ，１ｂの間に介装しておく）で、枠状体２を対向挟持体１ａ，１ｂに外挿した後、基部１３に枢結軸１４を貫通装着する。
【００２２】
而して前記の挟み具は、枠状体２を腕部１２の基部１３に移動させると、枠状体２の枠部２１の内幅が枢結軸１４の頭部間の距離よりも幅狭となっているので、枠状体２が基部１３で止まってしまう。
【００２３】
前記状態では、対向挟持体が開口状態となり、腕部１２を握持或いは保持し、先方の挟持部１１を開閉することで所定の対象物（食品等）の挟持を行うものである（図１）。
【００２４】
また枠状体２を腕部１２の先方の挟持部１１側に移動させると、対向挟持体１ａ，１ｂが閉口状態となる。そして脚部２２を下方にしてテーブル上に載置すると、挟持部が持ち上がった状態で置かれる（図２，３）。
【００２５】
従って枠状体２の移動によって簡単に対向挟持体１ａ，１ｂを簡単に閉口状態とすることができ、収納時に嵩張らず、また衛生的に仮置きができるものである。
【００２６】
また本発明は前記実施形態（第一実施例）のように脚部２２を片側のみ設けずに、図５に示す枠状体２ａのように左右両辺に設けるようにしても良いし、また枠部２１の側部ではなく、上下側に設けても良い。
【００２７】
更に図６（第三実施例）に示すように、枠状体２ｂを、金属板の打ち抜き加工、又は射出成型による樹脂で一体成形などで、一枚の板状に形成しても良い。
【符号の説明】
【００２８】
１ａ，１ｂ    対向挟持体
１１      挟持部
１２      腕部
１３      基部
１４      枢結軸
１４１      頭部
２，２ａ，２ｂ    枠状体
２１      枠部
２２      脚部
【図１】
0006307490.tif 000002
【図２】
0006307490.tif 000003
【図３】
0006307490.tif 000004
【図４】
0006307490.tif 000005
【図５】
0006307490.tif 000006
【図６】
0006307490.tif 000007